(57)【要約】【課題】屋外に設置される表示装置において、雷等の外来ノイズにより、表示装置が暴走することがあり、従来、この種の課題の対応は、表示装置本体にリセットスイッチを取り付けることで対応していたが、表示装置が、高所に取り付けられた場合においては、リセットすることが、容易に行うことができなかった。【解決手段】本発明の表示装置システムのリモコン１２は、強制リセットスイッチ１５を備え、強制リセットスイッチ１５を押下すると、表示装置をリセットするためのリセットコードを送出し、表示装置は、リセットコードを受信するとシステムリセットを行うようにした。これにより、人間の手の届かない場所に設置された表示装置であっても容易にリセットすることができる。【選択図】  図１
2004302130.tif 000002
【特許請求の範囲】
【請求項１】
表示装置と、前記表示装置の設定変更を行うリモコンからなる表示装置システムにおいて、前記表示装置をリセットするためのリセットコードを送出する機能を備えたリモコンと、前記リセットコードを解析し、リセットするか否かを判断するリセットコード解析部を備えた表示装置とからなることを特徴とする表示装置システム。
【請求項２】
前記リモコンのボタンを操作することにより、前記表示装置のリセットを行うことを特徴とする表示装置の制御方法。
【発明の詳細な説明】
【０００１】
【発明の属する技術分野】
本発明はＬＥＤなどの発光体をマトリクス状に配置し、文字、図形などを表示する表示装置に関し、特に、誤動作が発生した場合の制御に関するものである。
【０００２】
【従来の技術】
図５は、従来の表示装置の外観図を示したものである。
【０００３】
表示装置１は、図５に示されるように、文字や画像を表示するために複数のＬＥＤなどの発光体をマトリックス状に配置した表示部７と、内部回路の暴走を解除するためのリセットスイッチ３と、電源コード２と、電源プラグ２ａと、リモコン信号受信部４とを備え、リモコン５を操作することにより、表示部７に表示される内容の設定変更をすることができる。
【０００４】
また、表示装置１の内部は、図６のブロック図に示されるように、マイコン及びプログラム等を格納したメモリ（図示せず）からなり表示部７及び内部の制御を行う制御部６と、リモコン５からの信号を受信するためのリモコン信号受信部４と、内部回路の暴走を解除するためのリセットスイッチ３と、リセットスイッチ３の押下又は、電源が投入されたことを検出し、制御部６にリセット信号を出力するリセット回路８と、商用電源９ａから内部回路に必要な電源９ｂに変換する電源部９から構成される。
【０００５】
このような表示装置１は、町の商店街の店先に設置されたり、場所によっては、図７に示されるように、電柱１０等の高所に取り付けられ、宣伝広告を初め、さまざまな情報を表示部７に表示することで情報提供を行っている。
【０００６】
また、このような表示装置１は、屋外で使用されるため落雷等の予期せぬ外来ノイズにより制御部内部のマイコンが暴走し、誤動作するという課題があり、その場合には、ユーザーは、リセットスイッチ３を押下するか、もしくは、電源プラグ２ａを抜き差しすることで対応している。
【０００７】
しかしながら、表示装置の中には、図７で説明したような人間の手の届かない場所に設置されている場合もあり、このような場合においては、専門業者により対応することになる。
【０００８】
また、前記課題を対策するための方法として、公衆回線を利用し通信により表示内容の設定変更を行うことが出来る表示装置では、呼び出し信号を利用することにより、強制リセットをかける制御方法などが提案されている（例えば、特許文献１参照）。
【０００９】
【特許文献１】
特開平４−２４０６９１号公報
【００１０】
【発明が解決しようとする課題】
しかしながら、一般の表示装置の制御は、リモコンにより表示内容の設定変更を行っており、誤動作対応の目的で通信回路を内蔵し、公衆回線を配設するのは、コストアップにつながるとともに、工事するのにも手間がかかるという問題がある。
【００１１】
また、雷による影響を考えた場合、通信回線自体が、雷による誘導を受けるためかえって誤動作の頻度が増えるという問題がある。
【００１２】
本発明は前記課題に鑑みてなされたもので、人間の手の届かない場所であっても容易に表示装置のリセットができる表示装置システム及びその制御方法を提供することを目的とする。
【００１３】
【課題を解決するための手段】
上記目的を達成するために、本発明の表示装置システムは、請求項１記載のように、表示装置をリセットするためのリセットコードを送出する機能を備えたリモコンと、前記リセットコードを解析し、リセットするか否かを判断するリセットコード解析部を備えた表示装置からなることを特徴とする。
【００１４】
また本発明の表示装置の制御方法は、リモコンのボタンを操作することにより、表示装置のリセットを行うことを特徴とする。
【００１５】
かかる構成によれば、高所に設置された表示装置であっても、リモコンを操作することにより、容易にリセットを行うことができる。
【００１６】
【発明の実施の形態】
以下、本発明の実施の形態について、図面を参照しながら説明する。
【００１７】
なお、図面を説明するにあたり、従来と同一構成には、同一符号を付し、説明は省略する。
【００１８】
図１は、本発明の表示装置システムに使用するリモコンのスイッチ配置を示す要部構成図である。
【００１９】
図１に示されるように、本発明の表示装置システムのリモコン１２は、強制リセットスイッチ１５を備え、強制リセットスイッチ１５を押下すると、表示装置をリセットするためのリセットコードを送出する。
【００２０】
図２は、本発明の表示装置システムにおける第１の実施の形態の表示装置の内部ブロック図である。
【００２１】
図２に示されるように、表示装置２０は、制御部６と表示部７と、リモコン信号受信部４と、リセットコード解析部２２と、リセット回路８と、商用電源９ａから内部回路に必要な電源９ｂに変換する電源部９とを備えたことを特徴とする。
【００２２】
ここで、リセットコード解析部２２は、例えば、図３（ａ）に示されるように、シリアルパラレル変換回路２２ａ、比較回路２２ｂからなり、リモコン信号受信部４からのシリアル信号をシリアルパラレル変換部２２ａにてパラレル信号に変換し、比較回路２２ｂに出力し、比較回路２２ｂでは入力されたパラレル信号を、リセットコードと比較し、同じ場合、リセット回路に図３（ｂ）に示されるような強制リセット信号２３をリセット回路８に出力し、リセット回路８は、制御部６に対しリセット信号を出力する。
【００２３】
以上述べた第１の実施の形態の構成によれば、表示装置２０のマイコンが暴走しても、リモコン１２を操作することで、高所に設置された表示装置でも容易にリセットすることができる。
【００２４】
次に、本発明の第２の実施の形態について図４を基に説明する。
【００２５】
図４は、本発明の表示装置システムにおける第２の実施の形態の表示装置の内部ブロック図である。
【００２６】
図４に示されるように、表示装置２５は、リセットコード解析部２２と、リセットスイッチ３と、アンド回路３０を備え、リセットコード解析部２２の出力と、リセットスイッチ３からの信号とを、アンド回路３０に入力し、アンド回路３０の出力をリセット回路８の入力とすることを特徴とする。
【００２７】
以上述べた第２の実施の形態の表示装置２５によれば、リモコン１２とリセットスイッチ３のどちらでも、リセットすることができる。
【００２８】
なお、説明においては、リモコン１２の１つのボタンに強制リセットスイッチ１５として割り当てたが、これに限るものではなく、誤操作が懸念される場合においては、２つのボタンを同時に押下することで、リセットコードを送信するようにしても良い。
【００２９】
【発明の効果】
以上、詳細に説明しましたように、本発明によれば、高所に設置された表示装置でもリモコンの操作で、容易にリセットすることができる。
【００３０】
また、本発明によれば、リモコンとリセットスイッチのどちらでも表示装置のリセットを行うことができる。
【図面の簡単な説明】
【図１】本発明に係るリモコンのボタン配置を示す要部構成図
【図２】本発明に係る表示装置の第１の実施の形態の内部ブロック図
【図３】（ａ）本発明に係る表示装置内部のリセットコード解析部の内部ブロック図
（ｂ）本発明に係るリセットコード解析部の信号のタイミングを示す図
【図４】本発明に係る表示装置の第２の実施の形態の内部ブロック図
【図５】従来の表示装置を示す構成図
【図６】従来の表示装置の内部ブロック図
【図７】表示装置の設置例を示す図
【符号の説明】
１、２０、２５  表示装置
２  電源コード
３  リセットスイッチ
４  リモコン信号受信部
５  リモコン
【図１】
2004302130.tif 000003
【図２】
2004302130.tif 000004
【図３】
2004302130.tif 000005
【図４】
2004302130.tif 000006
【図５】
2004302130.tif 000007
【図６】
2004302130.tif 000008
【図７】
2004302130.tif 000009